(57)【要約】      （修正有）【課題】公園や遊園地等に設置されているグローブジャングルの地際柱部（回転主軸部）において腐食劣化に伴う突然の部材破断に際しても、利用者が施設の下敷きになったり等、怪我を負うことがないように、回転主軸部の外側に転倒を制御するサポートパーツを持ち合わせたグローブジャングルを提供する。【解決手段】グローブジャングルの回転主軸部１４の外側に転倒を制御するサポートパーツ９、１０、１１、１２を組み込む、または装着する。【選択図】図５
2014083408.tif 000002
【特許請求の範囲】
【請求項１】
公園や遊園地等に設置されているグローブジャングルの柱部（回転主軸部）において腐食劣化に伴う突然の部材破断に際しても、利用者が施設の下敷きになったり等、怪我を負うことがないように、回転主軸部の外側に転倒を制御するサポートパーツ（図７〜１１）を持ち合わせたグローブジャングル。
【発明の詳細な説明】
【発明の詳細な説明】
【技術分野】
【０００１】この発明は、公園や遊園地等に設置されているグローブジャングルの柱部（回転主軸部）において腐食劣化に伴う突然の部材破断（図２の符号６）に際しても、利用者が施設の下敷きになったり等、怪我を負うことがないように、回転主軸部の外側に転倒制御のサポートパーツ（図７〜１１）を持ち合わせたグローブジャングルに関することです。
【背景技術】
【０００２】従来、
グローブジャングルの柱部（回転主軸部）は点検において、分解検査を行わないと腐食劣化が判別できない部位である為、点検費用の増大あるいは未点検の状態で放置されているものもあった。可動部（図１の符号３）で重要部位であるにも関わらず、腐食劣化の発見及び補修が遅れ、突然の部材破断（図２の符号６）によって利用者が施設の下敷きになったり、投げ出されたり等、怪我、致命傷を負う危険を伴っていた。
昨今では当施設は人気施設にも関わらず、全国的に撤去の傾向が強くなってしまっている。
【発明が解決しようとする課題】
【０００３】公園におけるコミュニケーション育成の人気施設であるグローブジャングルをいかに利用者の安心安全を図り、低コストで管理できるかが課題である。
また、柱部（回転主軸部）が破断したことが認識しやすく（図６）、早期補修を行えるような形状にすることが課題である。
【課題を解決する為の手段】
【０００４】１  グローブジャングルの回転主軸部の外側に転倒制御のサポートパーツ（図７〜１１）を組み込む。
２  柱部（回転主軸部）が破断した状況（図６）が外観上、あるいは利用する上で解り、早期手当てが出来るように、サポートパーツ部のサポートアームと収納部のサイズ、クリアランスに適度の余裕を持たせる（図１１）。
【発明を実施する為の最良の形態】
【０００５】・  グローブジャングルの柱部（回転主軸部）（図９の符号２６、図１０の符号３０）の外側に転倒制御のサポートパーツ〔図９の符号２５、図１０の符号２７，２８〕を組み込む。
・  柱部（回転主軸部）が破断した状況（図６）が外観上、解り、早期手当てが出来るように、サポートパーツ部のサポートアームと収納部のサイズ、クリアランスに適度の余裕を持たせる（図１１）。
こうすることによって、柱部（回転主軸部）が破断した場合、グローブジャングルの本体部が傾き（図６）、概観上、一見して異常である状況がわかるようにする。
・  柱部（回転主軸部）が破断した状況（図６）が利用する上で解り、早期手当てが出来るように、サポートパーツ部のサポートアームと収納部のサイズ、クリアランスに適度の余裕を持たせる（図１１）。
こうすることによって、柱部（回転主軸部）が破断した場合、グローブジャングルの本体部が傾くことによって、サポートアームと収納部が接触し（図１１の符号３８，３９）、回転しにくく利用する上で異常である状況がわかるようにする。
【発明の効果】
【０００６】１  点検で見落としがちなグローブジャングルの地際柱部（回転主軸部）の腐食劣化による突然の破断（図６）に際しても、利用者が怪我を負うことを低減することが出来る。
２  点検の際、目視により部材の腐食劣化、磨耗を点検することだけで、施設の安全、維持を図ることが出来る為、点検費用も軽減できる。
【図面の簡単な説明】
【図１】従来グローブジャングルの正面図。
【図２】従来グローブジャングルの問題点を表す正面図。
【図３】従来グローブジャングルの地際柱部（回転主軸部）の本体側とＧＬ側の正面図。
【図４】従来グローブジャングルの地際柱部（回転主軸部）の本体側とＧＬ側の正面図（装着後）。
【図５】本発明グローブジャングルの正面図。
【図６】本発明グローブジャングルが作用した状況を表す正面図。
【図７】転倒制御サポートパーツ（上部）の平面図。
【図８】転倒制御サポートパーツ（下部）の平面図。
【図９】転倒制御サポートパーツ（上部）の断面図。
【図１０】転倒制御サポートパーツ（下部）の断面図。
【図１１】本発明グローブジャングルが作用した際の  転倒制御サポートパーツの状況を表す拡大正面図。
【符号の説明】〔符号１〕
グローブジャングル本体フレーム。
〔符号２〕
グローブジャングル柱。
〔符号３〕
グローブジャングル柱部（回転主軸部）。
〔符号４〕
基礎
〔符号５〕
ＧＬライン。
〔符号６〕
従来グローブジャングルの問題点を表す正面図。
〔符号７〕
従来グローブジャングルの柱部（回転主軸部）の本体側。
〔符号８〕
従来グローブジャングルの柱部（回転主軸部）の基礎側。
〔符号９〕
転倒制御サポートパーツ（上部）のベースプレート部。
〔符号１０〕
転倒制御サポートパーツ（上部）のサポートアーム（本体が転倒するのを制御するプレート）。
〔符号１１〕
転倒制御サポートパーツ（下部）の収納部外側プレート（本体が転倒するのを制御するプレート）。
〔符号１２〕
転倒制御サポートパーツ（下部）の収納部内側プレート（本体が転倒するのを制御するプレート）。
〔符号１３〕
転倒制御サポートパーツ（下部）のベースプレート部。
〔符号１４〕
グローブジャングルの柱部（回転主軸部）の本体側。
〔符号１５〕
グローブジャングルの柱部（回転主軸部）の基礎側。
〔符号１６〕
本発明グローブジャングルが作用した際の転倒制御サポートパーツの状況を表す正面図。
〔符号１７〕
転倒制御サポートパーツ（上部）のベースプレート部。
〔符号１８〕
転倒制御サポートパーツ（上部）のサポートアーム（本体が転倒するのを制御するプレート）。
〔符号１９〕
グローブジャングルの柱部（回転主軸部）の本体側。
〔符号２０〕
転倒制御サポートパーツ（下部）のベースプレート部。
〔符号２１〕
転倒制御サポートパーツ（下部）の収納部外側プレート（本体が転倒するのを制御するプレート）。
〔符号２２〕
転倒制御サポートパーツ（下部）の収納部内側プレート（本体が転倒するのを制御するプレート）。
〔符号２３〕
グローブジャングルの柱部（回転主軸部）の基礎側。
〔符号２４〕
転倒制御サポートパーツ（上部）のベースプレート部。
〔符号２５〕
転倒制御サポートパーツ（上部）のサポートアーム（本体が転倒するのを制御するプレート）。
〔符号２６〕
グローブジャングルの柱部（回転主軸部）の本体側。
〔符号２７〕
転倒制御サポートパーツ（下部）の収納部内側プレート（本体が転倒するのを制御するプレート）。
〔符号２８〕
転倒制御サポートパーツ（下部）の収納部外側プレート（本体が転倒するのを制御するプレート）。
〔符号２９〕
転倒制御サポートパーツ（下部）のベースプレート部。
〔符号３０〕
グローブジャングルの柱部（回転主軸部）の基礎側。
〔符号３１〕
転倒制御サポートパーツ（上部）のベースプレート部。
〔符号３２〕
転倒制御サポートパーツ（上部）のサポートアーム（本体が転倒するのを制御するプレート）。
〔符号３３〕
グローブジャングルの柱部（回転主軸部）の本体側。
〔符号３４〕
転倒制御サポートパーツ（下部）の収納部外側プレート（本体が転倒するのを制御するプレート）。
〔符号３５〕
転倒制御サポートパーツ（下部）の収納部内側プレート（本体が転倒するのを制御するプレート）。
〔符号３６〕
グローブジャングルの柱部（回転主軸部）の基礎側。
〔符号３７〕
転倒制御サポートパーツ（下部）のベースプレート部。
〔符号３８〕
本発明グローブジャングルが作用した際の転倒制御サポートパーツの状況を表す拡大正面図。
（破線丸部周辺が接触することによって、転倒に抵抗する。）
【図１】
2014083408.tif 000003
【図２】
2014083408.tif 000004
【図３】
2014083408.tif 000005
【図４】
2014083408.tif 000006
【図５】
2014083408.tif 000007
【図６】
2014083408.tif 000008
【図７】
2014083408.tif 000009
【図８】
2014083408.tif 000010
【図９】
2014083408.tif 000011
【図１０】
2014083408.tif 000012
【図１１】
2014083408.tif 000013